(57)【要約】【課題】熱交換器の固定に使用する部品を低減しつつ、熱交換器の移動を抑制することが可能な空気調和機を提供することを目的とする。【解決手段】空気調和機の室内機１は、長手方向が本体ケース２の長手方向に沿って設置される熱交換器４と、本体ケース２と一体に形成された支持部３とを備え、熱交換器４は、熱交換器４の長手方向の一端部に設置された側板５を有し、支持部３は、側板５よりも熱交換器４の長手方向の内側に位置し、側板５は、支持部３の熱交換器４の長手方向の内側に掛かる係合部６を有する。【選択図】図１
2013190109.tif 000002
【特許請求の範囲】
【請求項１】
長手方向が本体ケースの長手方向に沿って設置される熱交換器と、
前記本体ケースと一体に形成された支持部と、
を備え、
前記熱交換器は、前記熱交換器の長手方向の一端部に設置された側板部を有し、
前記支持部は、前記側板部よりも前記熱交換器の長手方向の内側に位置し、
前記側板部は、前記支持部の前記熱交換器の長手方向の内側に掛かる係合部を有する空気調和機。
【請求項２】
前記側板部は、前記支持部の面のうち前記熱交換器の長手方向の外側の面に接触しており、前記係合部と共に前記支持部を挟持する請求項１に記載の空気調和機。
【発明の詳細な説明】
【技術分野】
【０００１】
本発明は、熱交換器を内蔵する室内機を有する空気調和機に関するものである。
【背景技術】
【０００２】
空気調和機の室内機の内部には、冷媒が通過し、吸込み口から供給された空気と熱交換する熱交換器が設置されている。熱交換器を通過した空気は、冷却又は加熱されて、冷風又は温風が室内側へ供給される。
【０００３】
特許文献１では、空気調和機の室内機における熱交換器の発明であって、前面側熱交換器と背面側熱交換器との間に設置されている遮風板での結露発生時の水飛びを防止する技術が開示されている。
【先行技術文献】
【特許文献】
【０００４】
【特許文献１】特開２０１０−１２１８２６号公報
【発明の概要】
【発明が解決しようとする課題】
【０００５】
室内機は、例えば本体ケーシング、上部吸込み口、下部吹出し口、熱交換器、及び前面パネル等で構成される。熱交換器は、室内機の構成部品の中でも重量が重い。そのため、据付け前の運搬時の衝撃によって、本体ケーシングの内部で、本来の設置位置から移動するおそれがある。従来、衝撃による熱交換器の位置ずれを防止するため、熱交換器の様々な場所にねじ止めしたり、別途サポート部品を用いたりして、熱交換器を固定する必要があった。
【０００６】
本発明は、このような事情に鑑みてなされたものであって、熱交換器の固定に使用する部品を低減しつつ、熱交換器の移動を抑制することが可能な空気調和機を提供することを目的とする。
【課題を解決するための手段】
【０００７】
上記課題を解決するために、本発明の空気調和機は以下の手段を採用する。
すなわち、本発明に係る空気調和機は、長手方向が本体ケースの長手方向に沿って設置される熱交換器と、前記本体ケースと一体に形成された支持部とを備え、前記熱交換器は、前記熱交換器の長手方向の一端部に設置された側板部を有し、前記支持部は、前記側板部よりも前記熱交換器の長手方向の内側に位置し、前記側板部は、前記支持部の前記熱交換器の長手方向の内側に掛かる係合部を有する。
【０００８】
この発明によれば、支持部が、本体ケースと一体に形成されており、熱交換器の側板部よりも熱交換器の長手方向の内側に位置している。そして、熱交換器の側板部は係合部を有しており、係合部が支持部の内面側に掛かっていることから、熱交換器が支持部に対して熱交換器の側板部よりも長手方向の外側方向に移動することを防止できる。例えば、本体ケースに加わる衝撃等によって、熱交換器に対して支持部よりも長手方向外側に移動させる力が加わったとき、熱交換器が長手方向外側へ移動することを防止できる。
【０００９】
上記発明において、前記側板部は、前記支持部の面のうち前記熱交換器の長手方向の外側の面に接触しており、前記係合部と共に前記支持部を挟持してもよい。
【００１０】
この発明によれば、熱交換器の側板部が係合部と共に支持部を挟持していることから、熱交換器の移動が防止されるだけでなく、熱交換器が本体ケースに対して固定される。
【発明の効果】
【００１１】
本発明によれば、係合部が支持部の内面側に掛かっていることから、熱交換器が支持部に対して熱交換器の側板部よりも長手方向の外側方向に移動することを防止でき、熱交換器の固定に使用する部品を低減しつつ、熱交換器の移動を抑制することができる。
【図面の簡単な説明】
【００１２】
【図１】本発明の一実施形態に係る空気調和機の室内機を示す縦断面図である。
【図２】図１における熱交換器の側板を示す部分拡大断面図である。
【図３】同実施形態に係る空気調和機の室内機の内部を示す斜視図である。
【図４】同実施形態に係る空気調和機の室内機を示す縦断面図である。
【発明を実施するための形態】
【００１３】
以下に、本発明に係る実施形態について、図面を参照して説明する。
空気調和機の室内機１は、本体ケース２の内部に冷媒が通過する熱交換器４、送風機７、モーター、ドレンパン等が設けられる。本体ケース２は、室内機１の背面側に位置するベース９と、ベース９の前面に設けられる前面パネル１０などからなる。
【００１４】
前面パネル１０には、図１に示すように、吸込み口１１、吹出し口１２が設けられる。吸込み口１１から吸い込まれた空気は、送風機７によって熱交換器４に導かれる。そして、熱交換器４を通過して冷却又は加熱された空気が吹出し口１２から室内へ送り出される。
【００１５】
また、熱交換器４は、図１に示すように、本体ケース２の長手方向に沿って配置される。熱交換器４の一端側には、熱交換器４の本体部分と接触して側板５が設置されており、熱交換器４の他端側には、樹脂ブロック８が設置される。熱交換器４は、図３及び図４に示すように、送風機７を囲むように配置される。
【００１６】
ベース９には、ベース９と一体に形成された支持部３が形成される。支持部３は、図１に示すように、板状部分を有し、板状部分は、ベース９の長手方向、すなわち室内機１の左右方向に対して垂直方向に形成される。
【００１７】
次に、図１及び図２を参照して、本実施形態に係る熱交換器４の固定手段の構成について説明する。
支持部３は、熱交換器４の側板５よりも熱交換器４の長手方向の内側に位置する。熱交換器４の長手方向の内側とは、熱交換器４の長手方向両端部の間に位置する側である。
【００１８】
熱交換器４の側板５は、従来の側板と異なり、係合部６が形成される。係合部６は、例えば板状部材であって、側板５と一体的に形成され、衝撃等によって外れないように側板５に結合されている。係合部６は、本体ケース２の支持部３の板状部分を挟み込むことができる形状を有している。係合部６は、側板５側に付勢する弾性力を有してもよい。熱交換器４が本体ケース２に設置されるとき、係合部６は、支持部３の熱交換器４の長手方向の内側に掛かる。
【００１９】
また、熱交換器４が本体ケース２に設置されるとき、側板５は、支持部３の面のうち、熱交換器４の長手方向の外側の面に接触しており、係合部６と共に本体ケース２の支持部３を挟み込む。熱交換器４の長手方向の外側とは、熱交換器４の長手方向両端部よりも外側である。
【００２０】
次に、本実施形態に係る熱交換器４の固定手段の作用について説明する。
従来、本実施形態の係合部６を有しない側板が設けられた熱交換器は、熱交換器の長手方向の外側から本体ケースの支持部へボルト締めしたり、別途サポート部品を用いたりして、本体ケースに対して固定されていた。
【００２１】
一方、本実施形態によれば、側板５と、側板５に結合された係合部６とが、支持部３を挟むことによって、熱交換器４が支持部３を介して本体ケース２に固定される。支持部３は、本体ケース２と一体に形成されており、熱交換器４の側板５よりも熱交換器４の長手方向の内側に位置している。そして、熱交換器４の側板５に結合された係合部６が、支持部３の内面側に掛かっている。
【００２２】
このとき、本体ケース２に加わる衝撃等によって、熱交換器４に対して支持部３よりも長手方向外側に移動させる力が加わったとき、熱交換器４は長手方向外側へ移動しようとする。係合部６がない場合は、熱交換器４の側板５は、支持部３よりも外側に位置していることから、熱交換器４はなんら支持がない状態で移動するおそれがある。
【００２３】
本実施形態では、係合部６が支持部３の熱交換器４の長手方向の内側に掛かっていることから、本体ケース２に加わる衝撃等によって、熱交換器４が支持部３に対して熱交換器４の側板５よりも長手方向の外側方向に移動することを防止できる。
【００２４】
以上より、本実施形態は、熱交換器４の移動を抑制できるため、品質の向上を図ることができる。また、熱交換器４の本体ケース２に対する固定が、ねじやサポート部品を用いずに行うことができるため、部品点数を減らすことができ、製造コスト等を低減できる。
【００２５】
なお、上記実施形態では、係合部６が側板５に１箇所設けられる場合について説明したが、本発明はこの例に限定されない。たとえば、係合部６は、側板５に複数個所設置されてもよい。
【符号の説明】
【００２６】
１  室内機
２  本体ケース
３  支持部
４  熱交換器
５  側板（側板部）
６  係合部
７  送風機
８  樹脂ブロック
９  ベース
１０  前面パネル
１１  吸込み口
１２  吹出し口
【図１】
2013190109.tif 000003
【図２】
2013190109.tif 000004
【図３】
2013190109.tif 000005
【図４】
2013190109.tif 000006